(57)【要約】【課題】安定した状態で設置がなされる、引出し可能な原稿読取部を有する画像形成装置画像形成装置を提供することを目的とする。【解決手段】画像形成装置１０は、画像形成部１４と、この画像形成部１４の下方に配置され装置本体１２から引き出し可能な原稿読取部６０と、この原稿読取部６０の下方に配置された少なくとも一段のシート供給部１８と、少なくとも原稿読取部６０が装置本体１２から引き出された際に、原稿読取部６０の少なくとも引き出し方向側の端部６０ａ近傍を重力方向下方から支持する載置台１００を有している。【選択図】  図３
2007041091.tif 000002
【特許請求の範囲】
【請求項１】
画像形成部と、
前記画像形成部の下方に配置され装置本体から引き出し可能な原稿読取部と、
前記原稿読取部の下方に配置された少なくとも一段のシート供給部と、
少なくとも前記原稿読取部が前記装置本体から引き出された際に、前記原稿読取部の少なくとも引き出し方向側の端部近傍を重力方向下方から支持する支持部と、を有することを特徴とする画像形成装置。
【請求項２】
前記支持部は、前記原稿読取部を載置する載置台からなることを特徴とする請求項１記載の画像形成装置。
【請求項３】
前記載置台は、前記装置本体に収納された状態と前記装置本体から引出された状態との間で移動可能であることを特徴とする請求項２記載の画像形成装置。
【請求項４】
前記載置台の移動を補助する移動補助手段を有することを特徴とする請求項３記載の画像形成装置。
【請求項５】
前記装置本体又は前記支持部の少なくとも一方が、前記装置本体から引出された状態にある原稿読取部の少なくとも引出し方向と逆側の端部近傍を重力方向下方から支持することを特徴とする請求項１乃至４いずれか記載の画像形成装置。
【請求項６】
画像形成部と、
前記画像形成部の下方に配置され装置本体から引出し可能な原稿読取部と、
前記画像形成部の下方に配置された少なくとも一段のシート供給部と、
前記シート供給部から前記画像形成部にシート搬送するシート搬送路と、を有し、
前記シート搬送路の一部が前記原稿読取部に設けられていることを特徴とする画像形成装置。
【請求項７】
前記原稿読取部が前記装置本体に収納された状態で画像形成を行うように制御する制御部を有することを特徴とする請求項６記載の画像形成装置。
【請求項８】
画像データを記憶する記憶手段と、前記原稿読取部が前記装置本体に収納された状態にあることを検出する収納センサとを有し、
前記制御部は、前記収納センサにより前記原稿読取部が前記装置本体に収納されたことが検出された後、前記記憶手段に記憶された画像データに基づき画像形成を行うように制御することを特徴とする請求項７記載の画像形成装置。
【請求項９】
前記原稿読取部は、移動する原稿を読み取る移動原稿読取部を有することを特徴とする請求項１乃至８いずれか記載の画像形成装置。
【請求項１０】
前記移動原稿読取部は、前記原稿読取部が装置本体に収納された状態で原稿読み取りが可能であることを特徴とする請求項９記載の画像形成装置。
【請求項１１】
前記原稿読取部は、固定した原稿を読み取る固定原稿読取部を有することを特徴とする請求項１乃至１０いずれか記載の画像形成装置。
【発明の詳細な説明】
【技術分野】
【０００１】
本発明は、画像形成装置に関する。
【背景技術】
【０００２】
画像形成手段で画像形成された用紙を排出する排出部を装置上面に備え、排出された用紙の取り出し作業性を容易にするために、排紙部よりも下側で装置本体から引き出し可能な原稿読取部を有する画像形成装置が知られている（特許文献１、特許文献２）。そして、このような画像形成装置であって、装置本体から引き出し可能な原稿読取部を画像形成部の下方に設け、この原稿読取部の下方にシート供給部を設けたものが知られている（特許文献２）。
【０００３】
【特許文献１】特開２０００−２３２５４５
【特許文献２】特開２００２−２９６８６０
【発明の開示】
【発明が解決しようとする課題】
【０００４】
しかしながら、従来の技術では、画像形成装置本体から引き出された状態にある原稿読取部の支持が必ずしも十分ではなく、原稿読取部が引き出された状態、もしくは、原稿読取部を引出す動作中の画像形成装置が不安定になることがあるとの問題点があった。また、原稿読取部を画像形成部の下方に設け、この原稿読取部の下方にシート供給部を設けた画像形成装置においては、シート供給部から画像形成部にシートを供給するシート供給路を、原稿読取部を避けた位置に設けているため装置が大型化してしまうことがあるとの問題点があった。
【０００５】
本発明は上記問題点を解決し、引出し可能な原稿読取部を有する画像形成装置であって、安定した状態で設置がなされる画像形成装置を提供することを目的とする。また、本発明は、引出し可能な原稿読取装置を有する画像形成装置であって、小型が可能な画像形成装置を提供することを目的とする。
【課題を解決するための手段】
【０００６】
上記課題を解決するために本発明の第１の特徴とするところは、画像形成部と、前記画像形成部の下方に配置され装置本体から引き出し可能な原稿読取部と、前記原稿読取部の下方に配置された少なくとも一段のシート供給部と、少なくとも前記原稿読取部が前記装置本体から引き出された際に、前記原稿読取部の少なくとも引き出し方向側の端部近傍を重力方向下方から支持する支持部とを有する画像形成装置にある。したがって、原稿読取部の引出し方向側の端部近傍が支持部により支持されるため、原稿読取部の引出し方向と反対側の端部近傍のみを支持する技術と比べて、安定した状態で画像形成装置の設置がなされるようになる。
【０００７】
好適には、前記支持部は、前記原稿読取部を載置する載置台からなる。ここで載置台とは、少なくとも２つの支持脚と、それら支持脚を連結する連結部と、原稿読取部が載置可能な載置部とを有する。載置部は載置板に限らず、支持脚から水平に伸びた梁でもよい。このような載置台で支持したので、支持脚のみで支持する場合と比べて、原稿読取部が床面から離れた高い位置にあっても、安定した状態で画像形成装置の設置がなされる。
【０００８】
また、好適には、前記載置台は、前記装置本体に収納された状態と前記装置本体から引出された状態との間で移動可能である。したがって、原稿読取部が載置された状態の載置台を、装置本体に収納された状態と装置本体から引出された状態との間で移動させることで、原稿読取部を引出す動作中も原稿読取部を重力方向下側から支持することができる。
【０００９】
また、好適には、前記載置台の移動を補助する移動補助手段を有する。したがって、載置台の移動が良好になされる。
【００１０】
また、好適には、前記装置本体又は前記支持部の少なくとも一方が、前記装置本体から引出された状態にある原稿読取部の少なくとも引出し方向と逆側の端部近傍を重力方向下方から支持する。したがって、原稿読取部の引き出し方向側の端部近傍のみならず、原稿読取部の引出し方向と逆側の端部近傍も重力方向下方から支持されて、より安定した状態で画像形成装置の設置がなされるようになる。
【００１１】
また、上記課題を解決するために本発明の第２の特徴とするところは、画像形成部と、前記画像形成部の下方に配置され装置本体から引出し可能な原稿読取部と、前記画像形成部の下方に配置された少なくとも一段のシート供給部と、前記シート供給部から前記画像形成部にシート搬送するシート搬送路とを有し、前記シート搬送路の一部が前記原稿読取部に設けられている画像形成装置にある。したがって、原稿読取部の、画像読取部が占めるスペースを避けてシート搬送路を設ける場合と比較して、画像形成装置を小型化することができる。
【００１２】
また、好適には、前記原稿読取部が前記装置本体に収納された状態で画像形成を行うように制御する制御部を有する。したがって、シート搬送路の一部が設けられた原稿読取部が装置本体に装着されていない状態で画像形成がなされ、シートの搬送不良が生じるとの問題が生じることが防止される。
【００１３】
また、好適には、画像データを記憶する記憶手段と、前記原稿読取部が前記装置本体に収納された状態にあることを検出する収納センサとを有し、前記制御部は、前記収納センサにより前記原稿読取部が前記装置本体に収納されたことが検出された後、前記記憶手段に記憶された画像データに基づき画像形成を行うように制御する。
【００１４】
また、好適には、前記原稿読取部は、移動する原稿を読み取る移動原稿読取部を有する。
【００１５】
また、好適には、前記移動原稿読取部は、前記原稿読取部が装置本体に収納された状態で原稿読み取りが可能である。したがって頻度の低い本等の厚手原稿の読み取り以外は、原稿読取部を引き出す必要がなくなる。
【００１６】
また、好適には、前記原稿読取部は、固定した原稿を読み取る固定原稿読取部を有する。
【発明の効果】
【００１７】
本発明によれば、引出し可能な原稿読取部を有し、安定した状態で設置がなされる画像形成装置を提供することができる。また、本発明によれば、引出し可能な原稿読取装置を有し、小型が可能な画像形成装置を提供することができる。
【発明を実施するための最良の形態】
【００１８】
次に本発明の実施形態を図面に基づいて説明する。
図１乃至３において、本発明の実施形態に係る画像形成装置１０の概要が示されている。画像形成装置１０は、複写装置、プリンタ、ファクシミリ装置として用いることができる複合機能機であり、装置本体１２を有し、この装置本体１２の内部に、画像形成部１４と、画像形成部１４の下方に配置され装置本体１２から引出し可能な原稿読取部６０と、原稿読取部６０の下方に配置された少なくとも一段のシート供給部１８とが搭載されている。また、装置本体１２内には、シート供給部１８から画像形成部１４にシートを搬送するシート搬送路５０が設けられていると共に、装置本体１２には、原稿読取部６０を重力方向下方から支持する支持部として用いられる載置台１００が収納される。
【００１９】
装置本体１２の上部は、画像形成がなされたシートが排出されるシート排出部１３として用いられる。また、装置本体１２には、シート排出部１３へとシートを排出するシート排出口１２ａが設けられている。
【００２０】
画像形成部１４は、電子写真方式のもので、潜像と現像剤像とを担持する像担持体であるドラム形状の感光体２８と、この感光体２８を一様帯電する帯電装置３０と、この帯電装置３０により帯電された感光体２８に、光により潜像を書き込む光書込み装置３２と、この光書込み装置３２により形成された感光体２８の潜像を現像剤により現像し現像剤像を形成する現像装置３４と、この現像装置３４による現像剤像をシートに転写する例えば転写ロールからなる転写装置３６と、感光体２８に残存する現像剤をクリーニングするクリーニング装置３８と、転写装置３６により転写されたシート上の現像剤像をシートに定着させる定着装置４０とから構成されている。光書込み装置３２は例えば走査型のレーザ露光装置からなり、後述するプロセスカートリッジ４６を横切り、感光体２８に潜像を形成する。なお、光書込み装置３２は、他の実施形態としてＬＥＤや面発光レーザ等を用いることができる。
【００２１】
画像形成部１４を構成する部材のうち、感光体２８、帯電装置３０、現像装置３４及びクリーニング装置３８は、プロセスカートリッジ４６として一体化され交換できるようになっている。
【００２２】
シート供給部１８は、後述する原稿読取部６０の下方に配置され、２段からなり、各段のシート供給部は、シート収納部として用いられる給紙カセット１９と、給紙カセット１９に収納された最上位のシートをピックアップするピックアップロール２０と、ピックアップロール２０によりピックアップされたシートを搬送するフィードロール２１と、このフィードロール２１と共にシートを捌くリタードロール２２とを有し、給紙カセット１９に積層された状態で収納されているシートを前述の画像形成部１４へと供給する。
【００２３】
このシート供給部１８は、この実施形態では２段からなり、縦方向に配置された給紙カセット１９を２つ有しているが、シート供給部１８は後述する原稿読取部６０の下方に少なくとも１段があれば良い。したがって、例えば、原稿読取部６０の下方に１段のシート供給部を設けても良いし、３段のシート供給部を設けても良い。また、原稿読取部６０の下方に少なくとも１段のシート供給部があれは、原稿読取部６０の上方にシート供給部を設けても良い。
【００２４】
シート搬送路５０は、シート供給部１８から供給されたシートが搬送される搬送路であり、シート搬送方向上流から順に、下段側の給紙カセット１９と上段側の給紙カセット１９との間の位置に設けられた上流側搬送ロール５１と、上段側の給紙カセット１９の下流側に設けられた下流側搬送ロール５２と、レジストロール５３とが設けられ、このレジストロール５３の下流側には、前述の転写装置３６とプロセスカートリッジ４６の感光体２８とから形成される転写ニップＮが位置し、さらに下流側には前述の定着装置４０と、シートを装置本体１２から排出する排出ロール５４とが設けられている。
【００２５】
原稿読取部６０は、先述の画像形成部１４の下方に配置される。また、原稿読取部６０は、原稿読取部筐体６１内に一体のユニットして構成され、装置本体１２から引出し可能となっている。すなわち、原稿読取部６０は、図２に示す装置本体１２に装着された状態と、図３に示す装置本体から引出した状態との間で移動ができるように構成されている。この原稿読取部６０は、装置本体１２に収納された状態においては装置本体１２に支持され、装置本体１２から引出された状態にあるとき、装置本体１２から引出す操作中、及び、装置本体１２へ収納する操作中は、後述する載置台１００により、または、載置台１００と装置本体１２とにより支持される。
【００２６】
この原稿読取部６０は、原稿読取部筺体６１内に、原稿を光学的に読み取る光学系６２と、シートからなる原稿を搬送する原稿自動搬送部７０と、本などの固定原稿が載置される固定原稿載置部７６とが設けられている。そして、光学系６２と原稿自動搬送部７０とが移動する原稿を読み取る移動原稿読取部として用いられ、光学系６２と固定原稿載置部７６とが固定した原稿を読み取る固定原稿読取部として用いられる。すなわち、原稿読取部６０は、移動する原稿を読み取る移動原稿読取部と、固定した原稿を読み取る固定原稿読取部とを有している。
【００２７】
光学系６２は、原稿に光を照射する照射ランプ６４と、原稿から反射された光を読み取るＣＣＤからなる読取センサ６６とを有する。光学系６２は、図１に２点鎖線で示す位置に静止して、原稿自動搬送部７０により搬送される原稿を読み取る機能と、図１に示す矢印方向に移動しながら固定原稿載置部７６に固定された原稿を読み取る機能とを併せて有している。
【００２８】
原稿自動搬送部７０は、シート状の原稿が積層されて載置される原稿台７１と、原稿を搬送する原稿搬送路７２と、読取が終わった原稿が排出される排出台７３とを有し、原稿搬送路７２に沿って、シート原稿を搬送する原稿搬送ロール７４と、シート原稿を読み取るための照射ランプ６４からの光が通過するスリットガラス７５とが配置されている。これら原稿自動搬送部７０なす部材のうち、原稿台７１と排出台７３とは、原稿読取部６０が装置本体１２に装着された状態において、装置本体１２の外側に位置している。したがって、原稿自動搬送部７０と光学系６２とからなる自動原稿読取部は、原稿読取部６０が装置本体１２に収納された状態でも、原稿の読取が可能である。
【００２９】
固定原稿載置部７６は、本などの固定原稿が載置され、固体原稿を読み取るための照射ランプ６４からの光が通過するコンタクトガラス７７と、コンタクトガラス７７に固定原稿を押えつける開閉可能な原稿押え板７８とを有している。固定原稿載置部７６を用いて原稿を読み取るには、原稿押え板７８を開いた状態として、コンタクトガラス７７に原稿を載置し、原稿押え板７８で原稿を押えた後、光学系６２で原稿を読み取る。このため、固定原稿載置部７６を用いての原稿の読取は、原稿読取部６０が装置本体に収納された状態では行えず、図３に示す原稿読取部が引出された状態でなされる。
【００３０】
載置台１００は、原稿読取部６０が装置本体１２から引出された際に、原稿読取部６０の少なくとも引出し方向側の端部６０ａの近傍を重力方向下方から支持する支持部材として用いられる。ここで、原稿読取部６０の引出し方向側の端部６０ａは、原稿読取部筺体６１の端部を言い、原稿読取部筺体６１の端部よりも引出し方向側に位置する原稿台７１と排出台７３とは考慮しない。載置台１００は、図２に示す装置本体１２に収納された状態と、図３に示す装置本体１２から引出された状態との間で移動可能であり、原稿読取部６０を載置した状態で載置台１００を移動させることで、原稿読取部６０を装置本体１２から引出し、また、装置本体１２に収納することができる。
【００３１】
この載置台１００は、原稿読取部６０が載置される載置板１０２と、載置板１０２に装着され載置板１０２を重力方向下方から支持する設置面に平行な部分を有する略Ｌ字状の２つの支持脚１０４と、支持脚１０４の設置面に対向する位置に設けられ、載置台１００の移動を補助する移動補助手段として用いられるキャスタ１１０とからなる。この載置台１００は、載置板１０２が支持脚１０４を連結する連結部となっている。載置板１０２の引出し方向の辺の略中央部には、載置台を移動させる際に用いる把手１０６が設けられている。各支持脚１０４は、載置板１０２の引出し方向の端部６０ａ側で載置板１０２に装着されている。このため、載置台１００は、原稿読取部６０の少なくとも引出し方向側の端部６０ａの近傍を重力方向下方から支持する。キャスタ１１０は、２つの支持脚１０４の各端部近傍に１個ずつ、計４個が設けられている。キャスタ１１０により、載置台１００の移動と、載置台１００に載置された原稿読取部６０の移動とが補助される。
【００３２】
この載置台１００又は装置本体１２の少なくとも一方が、装置本体１２から引出された状態にある原稿読取部６０の、引出し方向と逆側の端部６０ｂを重力方向下側から支持する。すなわち、この実施形態では、載置台１００が引出された状態において、載置台１００の把手１０６が設けられた側とは逆側の端部１００ｂが装置本体１２に支持され、この載置台１００が原稿読取部６０の端部６０ｂを支持するとの方法で、載置台１００と装置本体１２との双方が、原稿読取部６０の端部６０ｂを支持している。
【００３３】
次に、上述の第１の実施形態の作用について説明する。
例えば本等の固定原稿を読み取り複写を行うには、まず、載置台１００の把手１０６を手前に引出す等の方法で、原稿読取部６０を装置本体１２から引出す。そして、引出された状態にある原稿読取部６０のコンタクトガラス７７に原稿をセットし、この原稿を原稿押え板７８で押えた状態で、光学系６２により原稿の読取を行う。そして、この原稿の読取結果に基づき、図示を省略する制御部で画像データの形成がなされ、この画像データに基づき画像形成が開始される。
【００３４】
画像形成が開始されると、感光体２８が帯電装置３０により均一に帯電され、この帯電された状態にある感光体２８に、光書き込み装置３２が潜像の書き込みを行い、この潜像が現像装置３４により現像されて、感光体２８の表面にトナー像が形成される。
【００３５】
このトナー像の形成と同時に、シート供給部１８からシートの供給がなされ、このシートがレジストロール５３で一時停止され、タイミングをとって転写ニップＮへと導かれ、転写ニップＮで感光体２８に形成されたトナー像が転写装置３６によりシートに転写される。そして、定着装置４０でトナー像のシートへの定着がなされた後、シート排出部１３へとシートが排出される。
【００３６】
これに対して、シート状原稿を読み取って複写を行う際は、原稿読取部６０を装置本体１２に収納したままの状態で現行の読取がなされる。すなわち、装置本体１２の外部に突出した状態にある原稿台７１に原稿がセットされると、この原稿が、原稿搬送ロール７４により排出台７３まで搬送される途中にスリットガラス７５に接する位置へと搬送され、このスリットガラス７５に接する位置で光学系６２により原稿の読取がなされる。そして、その後、固定原稿を用いた場合と同様に画像形成がなされる。なお、シート状原稿の読取は、原稿読取部６０を装置本体１２から引出した状態でも行うことができる。
【００３７】
図４及び５において、画像形成装置１０の第２の実施形態が示されている。
前述した第１の実施形態と比較すると、第１の実施形態では、原稿読取部６０が、光学系６２と原稿自動搬送部７０と固定原稿載置部７６とを有していたが、この第２の実施形態では、原稿読取部６０は、光学系６２と固定原稿載置部７６とを有するものの、原稿自動搬送部７０を有していない。すなわち、この第２の実施形態では、原稿読取部６０は、光学系６２と固定原稿載置部７６とからなる固定原稿読取部を有するものの、移動する原稿を読み取る移動原稿読取部は有していない。なお、第１の実施形態と同一部分については、図４及び５に同一番号を付して、その説明を省略する。
【００３８】
図６乃至８において、画像形成装置１０の第３の実施形態が示されている。
前述の第１の実施形態と比較すると、第１の実施形態では、シート搬送路５０が原稿読取部６０の側方（図１において原稿読取部６０の右側）に設けられているが、この第３の実施形態においては、シート搬送路５０の一部が原稿読取部６０に設けられている。すなわち、原稿読取部６０にシートが通過するシート通過孔６０ｃを、載置台１００にシート通過孔１００ａを設け、シートがシート通過孔６０ｃとシート通過孔１００ａとを通過するようにしている。したがって、シート供給部１８から供給されたシートは、上流側搬送ロール５１により上方に搬送され、シート通過孔６０ｃとシート通過孔１００ａとを通過して、下流側搬送ロール５２へ到達する。
【００３９】
また、この第３の実施形態は、第１の実施形態と比較すると、第２の実施形態と同様に、原稿読取部６０が光学系６２と固定原稿載置部７６とを有するものの、原稿自動搬送部７０を有していない。すなわち、この第３の実施形態では、原稿読取部６０は、光学系６２と固定原稿載置部７６とからなる固定原稿読取部を有するものの、移動する原稿を読み取る移動原稿読取部は有していない。
【００４０】
また、第１の実施形態では、原稿読取部６０を装置本体１２から引出す方向は、シート搬送路５０が位置する側と逆側（図１において右側）であったのに対して、この第３の実施形態では、原稿読取部６０がシート搬送路５０が位置する側と同じ側（図６において左側）に引出される。
【００４１】
また、この第３の実施形態では、原稿読取部６０が装置本体１２に収納された状態にあることを検出する収納センサ８１が装置本体１２に設けられている。
【００４２】
なお、第１の実施形態と同一部分については、図６乃至８に同一番号を付して、その説明を省略する。また、第２、第３の実施形態において、原稿読取部６０に原稿押さえ板７８と交換可能な形態で原稿自動搬送部７０を設け、原稿読取部６０を移動する原稿を読み取る移動原稿読取部と固定した原稿を読み取る固定原稿読取部との双方を有するものとしても良い。
【００４３】
図９において、画像形成装置１０の第３の実施形態の制御装置８０示されている。制御装置８０は、収納センサ８１からの出力が入力される制御部８２を有する。この制御部８２には通信インターフェイス８３を介して画像データが入力される。制御部８２は、この画像データを記憶する記憶手段としても用いられるものであり、この制御部８２からの出力により、画像形成部１４と、シート供給部１８と、上流側搬送ロール５１、下流側搬送ロール５２、及びレジストロール５３からなるシート搬送部５９とが制御される。
【００４４】
制御部８２においては、図１０に示すように、例えば、原稿読取部６０が装置本体１２から引出された状態で原稿の読取を行った場合等に、ステップＳ１０で、通信インターフェイス８３から画像データが入力され、この画像データが記憶される。そして、次のステップＳ１２で収納センサ８１からの出力に基づいて、原稿読取部６０が装置本体１２に収納されているか否かの判別がなされる。そして、原稿読取部６０が装置本体１２に収納されているとの判別がなされると、次のステップＳ１４で、画像形成部１４、シート供給部１８、及びシート搬送部５９を制御し、画像形成がなされる。
【００４５】
図１１乃至１３において、画像形成装置１０の第４の実施形態が示されている。
先述の第３の実施形態と比較すると、この第４の実施形態は、第３の実施形態が有していないシート反転部５５と、手差しトレー５７とを有している。シート反転部５５は、一方の面に画像形成がなされたシートを、反転ロール５６で反転させつつ、再びレジストロール５３へと搬送する。このシート反転部５５を用いることでシートの両面に画像形成を行うことができる。手差しトレー５７は、各給紙カセット１９に収納されたシートとは別に、シートを画像形成部１４へと供給するためのものであり、手差しトレー５７に載置されたシートは、手差し用搬送ロール５８により、レジストロール５３へと供給され、さらに転写ニップＮへと搬送される。
【００４６】
また、この第４の実施形態では、第３の実施形態と比較すると原稿読取部６０を引き出す方向が異なる。すなわち、第３の実施形態では、原稿読取部６０を装置本体１２から引出す方向は、シート搬送路５０が位置する側と同じ側（図６において左側）であったのに対して、この第４の実施形態では、原稿読取部６０がシート搬送路５０と交差する方向であって、垂直な方向（図９において紙面の前側）に引出される。なお、第３の実施形態と同一部分については、図１１乃至１３に同一番号を付して、その説明を省略する。
【産業上の利用可能性】
【００４７】
以上述べたように、本発明は画像形成装置に利用することができる。
【図面の簡単な説明】
【００４８】
【図１】第１の実施形態に係る画像形成装置を示す正面図である。
【図２】第１の実施形態に係る画像形成装置を示し、原稿読取部が装置本体に収納された状態を示す斜視図である。
【図３】第１の実施形態に係る画像形成装置を示し、原稿読取部が装置本体から引出された状態を示す斜視図である。
【図４】第２の実施形態に係る画像形成装置を示し、原稿読取部が装置本体に収納された状態を示す斜視図である。
【図５】第２の実施形態に係る画像形成装置を示し、原稿読取部が装置本体から引出された状態を示す斜視図である。
【図６】第３の実施形態に係る画像形成装置を示す正面図である。
【図７】第３の実施形態に係る画像形成装置を示し、原稿読取部が装置本体に収納された状態を示す斜視図である。
【図８】第３の実施形態に係る画像形成装置を示し、原稿読取部が装置本体から引出された状態を示す斜視図である。
【図９】第３の実施形態に係る画像形成装置の制御装置を示すブロック図である。
【図１０】第３の実施形態に係る画像形成装置の画像形成動作を示すフローチャートである。
【図１１】第４の実施形態に係る画像形成装置を示す正面図である。
【図１２】第４の実施形態に係る画像形成装置を示し、原稿読取部が装置本体に収納された状態を示す斜視図である。
【図１３】第４の実施形態に係る画像形成装置を示し、原稿読取部が装置本体から引出された状態を示す斜視図である。
【符号の説明】
【００４９】
１０ 画像形成装置
１２ 装置本体
１４ 画像形成部
１８ シート供給部
２８ 感光体
４６ プロセスカートリッジ
５０ シート搬送路
６０ 原稿読取部
６０ｃ   シート通過孔
６２ 光学系
６４ 照射ランプ
６６ 読取センサ
７０ 原稿自動搬送部
７１ 原稿台
７３ 排出台
７５ スリットガラス
７７ コンタクトガラス
７８ 原稿押え板
８０ 制御装置
８１ 収納センサ
１００ 載置台
１００ａ    シート通過孔
１０２ 載置板
１０４ 支持脚
１０６ 把手
１１０ キャスタ
【図１】
2007041091.tif 000003
【図２】
2007041091.tif 000004
【図３】
2007041091.tif 000005
【図４】
2007041091.tif 000006
【図５】
2007041091.tif 000007
【図６】
2007041091.tif 000008
【図７】
2007041091.tif 000009
【図８】
2007041091.tif 000010
【図９】
2007041091.tif 000011
【図１０】
2007041091.tif 000012
【図１１】
2007041091.tif 000013
【図１２】
2007041091.tif 000014
【図１３】
2007041091.tif 000015